(57)【要約】【課題】膝下部から足首間で積極的にミルキングアクション効果を促進する構成の水着であり有酸素運動（エアロビクス）を効率よく行えるようにした水中運動用専用水着を提供する。【解決手段】水中運動用水着は、着用時に膝下部から足首間を覆う形状の生地部がその他の生地部に縫製等され、該縫製等された生地部は伸縮性を有する素材を用いてテンションを強くし被服圧を加えることのできる被服圧負荷用部分を形成し、該被服圧負荷用部分は着用時に膝下から足首の間の部分に一定の被服圧を常時加えるように構成する。【選択図】図６
0003125126.tif 000002
【実用新案登録請求の範囲】
【請求項１】
ワンピース型あるいはロングタイツ型を呈する伸縮性ある素材より成る水着のうち、膝下部から足首までの部分を、テンションを強くし一定の被服圧を常時加えた被服圧負荷用部分として形成したこと、
を特徴とする水中運動専用水着。
【請求項２】
ワンピース型あるいはロングタイツ型を呈する伸縮性ある素材より成る水着のうち、膝下部から足首までの部分を、テンションを強くし一定の被服圧を常時加えた被服圧負荷用部分として形成し、更に、
該部分には、該水着の着脱を容易にするためファスナーを設けたこと、
を特徴とする水中運動用専用水着。
【請求項３】
前記被服圧負荷用部分とその他の部分とが、縫製または編みの切り替えしによって一体化されていること、
を特徴とする請求項１または請求項２の何れかに記載された水中運動用専用水着。
【請求項４】
前記被服圧負荷用部分の一定の被服圧が、均一であること、または、部位により不均一であること、
を特徴とする請求項１または請求項２の何れかに記載された水中運動用専用水着。
【請求項５】
前記ファスナーが、スライドファスナーまたは面ファスナーであること、
を特徴とする請求項２記載の水中運動用専用水着。
【請求項６】
前記被服圧負荷用部分に負荷する均一な被服圧を、１０〜４０ＨＰａの範囲内としたこと、
を特徴とする請求項４記載の水中運動用専用水着。
【請求項７】
前記被服圧負荷用部分に負荷する被服圧を、部位により、最も強い部分で２０〜５０ＨＰａの範囲内、次いで強い部分を２０〜４０ＨＰａの範囲内、最も弱い部分で１０〜２０ＨＰａの範囲内、と不均一に分布したこと、
を特徴とする請求項４記載の水中運動用専用水着。
【考案の詳細な説明】
【技術分野】
【０００１】
本考案は水中運動用専用の水着に関するものであり、特に本考案は水中ウォーキング運動を行うにあたり、本考案の水中運動用の専用水着を着用することにより、膝下部から足首間までに被服圧を負荷しながら、該膝下から足首間にある足の筋肉を動かすことによりミルキングアクション効果を促進して血流の流れを良くし、脚のむくみを軽減したり、疲労を軽減しつつ、足首のラインを綺麗にする美容効果や肥満解消に役立つ有酸素運動を効率よく行える水中運動用専用水着を提供するものである。
【背景技術】
【０００２】
水中運動は、体重の負荷が小さい運動環境の中で負荷が高い運動を行うことを可能とする点が近時注目され、特に、中年層以上で体重がオーバーしている人や、腰痛や膝に問題を抱えている人、そして、歩くリハビリを必要としている人などに利用されている。
【考案の開示】
【考案が解決しようとする課題】
【０００３】
而して、本考案は、上述の現況に鑑みてなされたもので、水中運動の優れた特徴を最大限に生かすことの可能な水中運動用専用水着を提供して、水中運動に於ける運動効率を上げることを目的としたものである。
【０００４】
本考案における水中運動用専用水着を着用しての水中運動は、膝下から足首間の足の筋肉を動かし積極的にミルキングアクション効果を促進する構成の水着を考案して有酸素運動（エアロビクス）を効率よく行えるようになし、また、本考案の水着を着用して水中運動を続けることにより足の筋肉を鍛えて血液の流れを良くし、脚のむくみを軽減したり、疲労を軽減しつつ、足首のラインを綺麗にする美容的効果や肥満解消に大いに役立つものである。
【課題を解決するための手段】
【０００５】
本考案は、ワンピース型あるいはロングタイツ型を呈する伸縮性ある素材より成る水着のうち、膝下部から足首までの部分だけを、テンションを強くし一定の被服圧を常時加えた被服圧負荷用部分として形成し、該水着を着用して水中運動をした場合にミルキングアクション効果を促進すること、を要旨とするものである。
【０００６】
また、本考案は、ワンピース型あるいはロングタイツ型を呈する伸縮性ある素材より成る水着のうち、膝下部から足首までの部分を、テンションを強くし一定の被服圧を常時加えた被服圧負荷用部分として形成し、該部分には、該水着の着脱を容易にするためのファスナーを設けたことをもその要旨としている。
【０００７】
前記被服圧負荷用部分とその他の部分とは、縫製または編みの切り替えしによって一体化することが可能である。
【０００８】
また、前記被服圧負荷用部分の圧を、均一とする、あるいは部位によって不均一とする、ことも可能である。
【０００９】
尚、前記ファスナーは、スライドファスナーのみならず面ファスナーであってもよい。
【００１０】
また、前記被服圧負荷用部分に負荷する均一な被服圧を、１０〜４０ＨＰａの範囲内とすることも好ましい。
【００１１】
同じく、前記被服圧負荷用部分に負荷する被服圧を、部位により、最も強い部分で２０〜５０ＨＰａの範囲内、次いで強い部分を２０〜４０ＨＰａの範囲内、最も弱い部分で１０〜２０ＨＰａの範囲内、と不均一に分布することも好ましい。
【考案の効果】
【００１２】
而して、本考案の水中運動用専用水着は、運動機能性を失わないことは勿論着用時に膝下部から足首間を覆う被服圧負荷用部分を形成し、該被服圧負荷用部分は着用時に膝下部から足首間に一定の、即ち均一の被服圧を常時加えるように構成し（または部位により不均一に構成し）、該水中運動用水着を着用して水中運動をした場合にミルキングアクション効果を促進することで有酸素運動（エアロビクス）を効率よく行えるようになし、また、本考案の水着を着用して水中運動を続けることにより足の筋肉を鍛えて血液の流れを良くし、脚のむくみを軽減したり、また疲労を軽減しながら、足首のラインを綺麗にする美容効果や肥満解消に役立つ水中運動用専用水着を提供することができた。
【００１３】
また、本考案の水中運動用専用水着は、着用時に膝下部から足首間を覆う被服圧負荷用部分を形成し、該被服圧負荷用部分は着用時に膝下部と足首間に一定の、即ち均一の被服圧を常時加えるように構成し（または部位により不均一に構成し）、該被服圧負荷用部分には、水着全体、殊には膝下部から足首間の着脱を容易にするため該部分にファスナーを設けた構成を有し、着脱動作が大変楽に行える高機能付き水中運動用専用水着を提供することができた。
【考案を実施するための最良の形態】
【００１４】
而して、本考案を実施するための最良の形態は、ワンピース型或いはロングタイツ型の水中運動用水着において、該水中運動用水着は着用時に膝下部から足首までを覆う形状の生地部がその他の生地部に縫製され（または編みの切り替えしによっても可能である）、該縫製等された生地部は伸縮性を有する素材を用いて被服圧を加えることのできるテンションの強い被服圧負荷用部分を形成し、該被服圧負荷用部分は着用時に膝下部から足首までの間の部分に一定の、即ち均一の被服圧を常時加えるように構成し（または部位により不均一の被服圧を加えるように構成し）、該水中運動用水着を着用して水中運動をした場合にミルキングアクション効果を促進する構成としたことが好ましい。
【００１５】
また、本考案は、ワンピース型或いはロングタイツ型の水中運動用水着において、該水中運動用水着は膝下部から足首までを覆う形状の生地部がその他の生地部に縫製等され、該縫製等された生地部は伸縮性を有する素材を用いて被服圧を加えることのできるテンションの強い被服圧負荷用部分を形成し、該被服圧負荷用部分は着用時に膝下から足首までの間の部分だけに一定の、即ち均一なまたは部位により不均一な被服圧を加えるように構成し、該被服圧負荷用部分には膝下部から足首までの着脱を容易にするためファスナーを設けることが好ましい。
尚、該ファスナーは、該部分の必ずしも側面に設けられなくても、例えば正面又は背面側に設けられてもよい。
【００１６】
また、本考案において、被服圧負荷用部分にて膝下から足首間に負荷する均一な被服圧は、１０〜４０ＨＰａの範囲内とすることが好ましい。
【００１７】
また、本考案において、被服圧負荷用部分にて膝下から足首間に負荷する被服圧は、部位により、最も強い部分で２０〜５０ＨＰａの範囲内、次いで強い部分を２０〜４０ＨＰａの範囲内、最も弱い部分で１０〜２０ＨＰａの範囲内、と不均一に分布させることも可能である。
【００１８】
例えば、水中ウォーキングであれば、脚部が水中で上下運動をするのであるが、プール底面に近づく程水圧が強く、水面に近づく程水圧が弱くなり、仮に水着を着用していない状態でも自然発生的に脚部に対するミルキングアクションが発生する。上記「００１７」にて云う不均一な被服圧は、膝下に近づく程相対的に弱く、足首に近づく程相対的に強く分布されているのであるが、本考案は、云わば、上記の水圧による自然発生的なミルキングアクションを促進する形で、より効果的にミルキングアクションを生じせしめることになる。
【００１９】
尚、前記の着脱を容易にするためにファスナーを設けるにあたり、該ファスナーはスライドファスナーのみに限らず面ファスナーであってもよい。
【００２０】
更にまた、本考案において、水中運動用水着の着脱を容易にするために設けられるファスナーの位置は、両脚部のサイド側部分で裾下から膝下部付近までの部分を開閉を可能とする位置のみに限られず、両脚部のサイド側部分で裾下から大腿部付近部までを開閉可能とする位置であってもよい。
【実施例１】
【００２１】
図１乃至図４は本考案の実施例１を示す正面図で、水中運動用水着の形状並びに組み合わ形状例を示す説明図、図５は本考案の水中運動用専用水着の構成要部を詳説する要部拡大正面図、図６は、図５の側面図である。
【００２２】
図１はワンピース型の水中運動用水着であり、該ワンピース型の水中運動用水着１は、例えば袖付きの上衣部２とロングタイツ部３とが一体化された形状を呈している。
【００２３】
そして、該上衣部２の前面略中央には、着脱が容易なようにファスナー部４を有しており、前記ワンピース型水中運動用水着１はロングタイツ部３の部分で膝下部５から足首６までの間を完全に覆う形状を呈している。
【００２４】
尚、図１に示す本考案のワンピース型の水中運動用水着１の形状例としては、該水中運動用水着１を身体に直に着用したり、あるいはスイミング用水着の上に更に重ね着することでも水中運動用専用水着としては利用できる。
【００２５】
また、図２は特に男性用のロングタイツ型水中運動用水着７の形状例を示すもので、該ロングタイツ型水中運動用水着７は、ロングタイツ部３のみから構成され、該ロングタイツ部３の部分で膝下部５から足首６までの間を完全に覆う形状を呈している。
【００２６】
斯くして、上述した図１並びに図２の説明は、本考案の主な実施形状例を説明したものであるが、他にも図３並びに図４の如く、本考案は種々の実施形状例を選択して使用できる。
【００２７】
即ち、図３において、８はセパレート型の水中運動用水着であり、該水着８は上衣部２とロングタイツ部３とからなり、該ロングタイツ部３は膝下部５から足首６までの間を完全に覆う形状を呈したロングスタイツ部３を構成している。
【００２８】
そして、前記セパレート型の水中運動用水着８では、身体に直に着用したり、スイミング用の水着の上に更にロングタイツ部３を重ね着することで水中運動用専用水着となる。
【００２９】
また、図４の構成は、重ね着タイプの水中運動用水着９示しており、該重ね着タイプの水中運動用水着９は、一例として、スイミング用水着１０を着用後、本考案のロングタイツ部３を下半身に着用する形状例を示している。
【００３０】
そして、図４においてもロングタイツ部３は膝下部５から足首６までの間を完全に覆う形状を呈している。
【００３１】
斯くして、本考案の実施例１は上述の図１乃至図４の組み合わせ形状例に対して等しく実施できるものである。
【００３２】
本考案に係る要部構成は、図５並びに図６に示すロングタイツ部３の部分に施されるもので、本考案はスイミング用水着のように身体に直接着用するか、あるいはスイミング用水着と併用して用いられ、スイミング用水着の着用後重ね着することも可能な水中運動用専用水着を提供できる。
【００３３】
図５、並びに図６おいて、水中運動用水着のロングタイツ部３は、着用時に膝下部５から足首６間を覆う形状の生地部１１がその他の生地部１５と縫製されて完成品となっており、該縫製された生地部１１は伸縮性を有する素材を用いてテンションの強い、他の表現では伸度の小さい、即ち強い被服圧を加えることのできる被服圧負荷用部分１２を形成している。
【００３４】
そして、前記被服圧負荷用部分１２は、水中運動用水着のロングタイツ部３を着用時に膝下部５から足首６間で常に一定の被服圧を加えるように構成され、該水中運動用水着を構成するロングタイツ部３を着用して水中運動をした場合にミルキングアクション効果が効率よく得られるようにしたことを特徴とする水中運動用専用水着を提供している。
【００３５】
尚、図５、並びに図６に設けられたファスナー１３ａ、１３ｂは、本考案の実施例２におて、詳説するが、水中運動用専用水着において被服圧を負荷されている膝下部５から足首６間で水中運動用水着の着脱を容易にするため裾部１４ａ、１４ｂに設けられたものである。
【００３６】
而して、前記、膝下部５から足首６間を覆う形状の生地部１１は例えば、伸縮性を有する素材を用いて他の水着構成生地部１５よりテンションを強くすること、即ち強伸度により、膝下部５から足首６間で一定の均一な被服圧を常時加えるように構成することが可能である。
【００３７】
従って、本考案は前記構成において、被服圧負荷用部分１２にて膝下部５から足首６間に常時負荷する均一な被服圧を、１０ＨＰａから４０ＨＰａの範囲のうちより選択した値に設定し（本実施例では２０ＨＰａを選択した）、該ロングタイツ部３を着用して水中運動をした場合にミルキングアクション効果を効率良く得られるように構成した。
【００３８】
そして、前記、構成において、被服圧負荷用部分１２にて膝下部５から足首６間に負荷する被服圧は、膝下部５から足首６間の部位により変化せしめ、足首部分を２０ＨＰａから５０ＨＰａの範囲内（本実施例では４０ＨＰａを選択した）、膨らはぎ部分を２０ＨＰａから４０ＨＰａの範囲内（本実施例では３０ＨＰａを選択した）、また、膝下部分を１０ＨＰａから２０ＨＰａの範囲内（本実施例では２０ＨＰａを選択した）、よりそれぞれ選択した値として不均一に分布させることが可能で、この構成によりロングタイツ部３からなる水中運動用水着を着用して水中運動をした場合にミルキングアクション効果を効率良く得られ、しかも運動機能も充分発揮できるようにすることも可能である。
【００３９】
上記、本考案におけるミルキングアクション効果とは、体内の血液が心臓から送られて、また、心臓に戻るというように循環運動をしており、上半身の血液は比較的容易に心臓に戻ってくるが、下半身回りの血液は重力の抵抗を受けて循環運動をしており、心臓だけで一連の動きを行うとかなりの負担を心臓に与えてしまう。
【００４０】
而して、この時に心臓の助けとなっているのが、足の筋肉を動かすミルキングアクションという機能である。
【００４１】
足の筋肉が血液の周りで乳搾りをする様に伸び縮みする動きがミルキングアクションと呼ばれるもので、血液が心臓に送り返される機能を効率よく行う足の筋肉は、例えば、足首部分にある下腿三頭筋という筋肉で、該下腿三頭筋を動かし、また、鍛えることにより血流が良くなって、有酸素運動（エアロビクス）を効率よく行えるようにする。また、血液の流れを良くすることで、脚のむくみを軽減したり、疲労を軽減しつつ、足首のラインを綺麗にする美容効果や肥満の解消を図る効果を本考案の説明で、ミルキングアクション効果と定義つけしています。
【００４２】
斯くして、本考案の水中運動用専用水着は、図１乃至図６にて説明したように、着用時に膝下部５から足首６間を覆う形状の生地部１１がその他の生地部１５に縫製され、該縫製された生地部１１は伸縮性を有する素材を用いて被服圧を加えることのできる被服圧負荷用部分１２を形成し、該被服圧負荷用部分１２は着用時に膝下部５から足首６間に一定の被服圧を常時加えるように構成し、該水中運動用水着のロングタイツ部３を着用して水中運動をした場合にミルキングアクション効果を得られることで、有酸素運動（エアロビクス）を効率よく行えるようになり、また、本考案の水着を着用して水中運動を続けることにより足の筋肉を鍛えて血液の流れを良くし、脚のむくみを軽減したり、疲労を軽減しつつ、足首のラインを綺麗にする美容効果や肥満解消に役立つ水中運動用専用水着を提供することができた。
【実施例２】
【００４３】
また、本考案の実施例２を前記図５、並びに図６を併用して説明し、実施例２に関連する他のその他の実施例を図７の正面図、並びに図８の側面図にて説明する。  
【００４４】
図５乃至図８において、３は水中運動用水着のロングタイツ部、５は膝下部、６は足首、１１は膝下部５から足首６間を覆う形状の生地部、１２は被服圧負荷用部分、１３ａ、１３ｂはファスナー、１４ａ、１４ｂは裾部、１５は他の水着構成生地部である。
【００４５】
実施例２は、ワンピース型或いはロングタイツ型の水中運動用水着において、該水中運動用水着は着用時に膝下部５から足首６までを覆う形状の生地部１１が他の水着構成生地部１５に縫製され、該縫製された生地部１１は伸縮性を有する素材を用いて被服圧を加えることのできる被服圧負荷用部分１２を形成し、該被服圧負荷用部分１２は着用時に膝下部５から足首６までの間の部分に一定の被服圧を常時加えるように構成し、該被服圧負荷用部分１２には膝下部５から足首６までの着脱を容易にするため裾部にファスナー１３ａ、１３ｂを設けている。
【００４６】
また、実施例２は、膝下部５から足首６間での水中運動用水着の着脱を容易にするため裾部１４ａ、１４ｂにファスナー１３ａ、１３ｂを設けるにあたり、該ファスナー１３ａ、１３ｂはスライドファスナーまたは面ファスナーであることを特徴としている。
【００４７】
更にまた、実施例２のその他の例として、本考案は、図５、並びに図６に示す如く、前記水中運動用水着の着脱を容易にするため、裾部１４ａ、１４ｂから設けられるファスナー１３ａ、１３ｂの位置は両脚部のサイド側部分で裾下１６から膝下部５付近までの部分を開閉を可能とする開閉長さＬ１、または両脚部のサイド側部分で裾下１６から大腿部付近部までを開閉可能とする開閉長さＬ２であることとした。
【産業上の利用可能性】
【００４８】
斯くして、本考案の水中運動用専用水着は、着用時に膝下部から足首間を覆う形状の生地部が他の生地部に縫製等されて一体化され、該縫製等された生地部は伸縮性を有する素材を用いて被服圧を加えることのできる被服圧負荷用部分を形成し、該被服圧負荷用部分は着用時に膝下部から足首間に一定の被服圧を常時加えるように構成したものである。
【００４９】
そして、前記、水中運動用水着を着用して水中運動をした場合に膝下部から足首間の足の筋肉、例えばふくらはぎ部分の下腿三頭筋の部分にて効率良いミルキングアクション効果を得ることが可能で、有酸素運動（エアロビクス）を効率よく行えるようになし、また、本考案の水着を着用して水中運動を続けることにより足の筋肉を鍛えて血液の流れを良くし、脚のむくみを軽減したり、疲労を軽減しつつ、足首のラインを綺麗にする美容効果や肥満解消に役立ち、しかも運動機能に優れた水中運動用専用水着を提供することができ、水中運動運動を特定の問題を有した中年層のみならず、一般の若年層までに幅広く普及させることを可能とし、その効果は産業上頗る顕著である。
【００５０】
また、本考案の水中運動用専用水着は、着用時に膝下部から足首間を覆う形状の生地部がその他の生地部に縫製等され、該縫製等された生地部は伸縮性を有する素材を用いて被服圧を加えることのできる被服圧負荷用部分を形成し、該被服圧負荷用部分は着用時に膝下部から足首間に一定の被服圧を常時加えるように構成し、該被服圧負荷用部分には膝下部分の着脱を容易にするため裾部にファスナーを設けた構成を有し、着脱動作が大変楽に行える高機能付きで使い易さを追求した水中運動用専用水着を提供するものであり、その産業上の貢献度は顕著である。
【図面の簡単な説明】
【００５１】
【図１】本考案の実施例１を示す正面図で水中運動用専用水着の形状や組み合わせ形状例の説明図である。
【図２】本考案の実施例１を示す正面図で水中運動用専用水着の形状や組み合わせ形状例の説明図である。
【図３】本考案の実施例１を示す正面図で水中運動用専用水着の形状や組み合わせ形状例の説明図である。
【図４】本考案の実施例１を示す正面図で水中運動用専用水着の形状や組み合わせ形状例の説明図である。
【図５】本考案における実施例１並びに実施例２の水中運動用専用水着の構成要素を説明する要部拡大正面図である。
【図６】図５の側面図である。
【図７】本考案の実施例２を説明する正面図である。
【図８】図７の側面図である。
【符号の説明】
【００５２】
１  ワンピース型の水中運動用水着
２  上衣部
３  ロングタイツ部
４  ファスナー部
５  膝下部
６  足首
７  ロングタイツ型水中運動用水着
８  セパレート型の水中運動用水着
９  重ね着タイプの水中運動用水着
１０  スイミング用水着
１１  生地部
１２  被服圧負荷用部分
１３ａ、１３ｂ  ファスナー
１４ａ、１４ｂ  裾部
１５  他の水着構成生地部
１６  裾下  
Ｌ１：開閉長さ長さ
Ｌ２：開閉長さ長さ
【図１】
0003125126.tif 000003
【図２】
0003125126.tif 000004
【図３】
0003125126.tif 000005
【図４】
0003125126.tif 000006
【図５】
0003125126.tif 000007
【図６】
0003125126.tif 000008
【図７】
0003125126.tif 000009
【図８】
0003125126.tif 000010